(57)【要約】【課題】組立て／分解を容易に行えるとともに、分解後も構成部品を再利用可能なトルクリミッタを提供する。【解決手段】トルクリミッタ１０は、円筒状外周部を有する第１回転体１１と、円筒状外周部に対向する円筒状内周部を有し、第１回転体１１と同軸上で互いに対して相対的に回転可能に設けられた第２回転体２０とからなり、第１回転体１１の円筒状外周部には永久磁石１３が、第２回転体２０の円筒状内周部にはヒステリシス材２３が設けられる。第２回転体２０は軸方向の一端側に開口部２４を有し、開口部２４を塞ぐ蓋２２が設けられる。第２回転体２０の開口部２４近傍の内周部には突出部２５が設けられる。蓋２２は、突出部２５で保持される。蓋２２は、蓋２２を取外し可能な治具を受入れる切欠き２８を有する。【選択図】図３
2011106559.tif 000002
【特許請求の範囲】
【請求項１】
円筒状外周部を有する第１回転体と、前記円筒状外周部に対向する円筒状内周部を有し、前記第１回転体と同軸上で互いに対して相対的に回転可能に設けられた第２回転体とからなり、前記第１回転体の円筒状外周部および前記第２回転体の円筒状内周部のいずれか一方には永久磁石が、いずれか他方にはヒステリシス材が設けられるトルクリミッタであって、
前記第２回転体は軸方向の一端側に開口部を有し、
前記開口部を塞ぐ蓋と、
前記第２回転体の前記開口部近傍の内周部に突出して設けられた突出部とを含み、
前記蓋は、前記突出部で保持され、
前記蓋は、前記蓋を取外す治具を受入れる切欠きを有する、トルクリミッタ。
【請求項２】
前記蓋は円板状であり、前記切欠きは前記円板状の蓋の外周上に設けられる、請求項１に記載のトルクリミッタ。
【請求項３】
前記切欠きは貫通孔である、請求項１または２に記載のトルクリミッタ。
【請求項４】
前記切欠きは前記円板状の蓋の１８０度離れた位置に一対設けられる、請求項１〜３のいずれかに記載のトルクリミッタ。
【請求項５】
前記第２回転体の内周部に設けられる永久磁石またはヒステリシス材は、前記第１回転体側に突出して設けられ、
前記蓋は、前記第２回転体の内周部に突出して設けられた永久磁石またはヒステリシス材と前記突出部とで保持される、請求項１〜４のいずれかに記載のトルクリミッタ。
【請求項６】
前記突出部は第２回転体の内周部において、軸方向内部から前記開口部側に向かって滑らかに突出する、請求項１〜５のいずれかに記載のトルクリミッタ。
【請求項７】
前記突出部の断面は半円形状である、請求項１〜６のいずれかに記載のトルクリミッタ。
【発明の詳細な説明】
【技術分野】
【０００１】
この発明は、例えば複写機やプリンター、ファクシミリ等の給紙分離装置に用いられるトルクリミッタに関する。
【背景技術】
【０００２】
手間とコストをかけることなく製造できる従来のトルクリミッタが、たとえば、特開２００８−２８１１１２号公報（特許文献１）に記載されている。図４および図５は同公報に記載されたトルクリミッタの断面図と、図４においてＶ−Ｖで示す部分の平面図である。図４および図５を参照して、トルクリミッタ１１０は、内周にヒステリシス材１２３を有するハウジング１２１と、ヒステリシス材１２３に対向する円筒状の磁石１１３を有し、ハウジング１２１と同軸上で相対的に回転可能に設けられたロータ軸１１２とを含む。ハウジング１２１は軸方向の一端側に開口部１２４を有し、開口部１２４は蓋１２２で塞がれている。蓋１２２はハウジング１２１の開口部１２４近傍の内周部に設けられた突出部１２５とヒステリシス材１２３の上端部とで保持されている。
【先行技術文献】
【特許文献】
【０００３】
【特許文献１】特開２００８−２８１１１２号公報
【発明の概要】
【発明が解決しようとする課題】
【０００４】
手間とコストをかけることなく製造できる従来のトルクリミッタは上記のように構成されていた。ハウジング１２１に樹脂部材を主体で構成されるトルクリミッタの組立てにおいてハウジング１２１と蓋１２２との接合においては、圧入、溶着、凹凸を利用した嵌め込みが行われている。例えば、生産工程における不良品発生、組立て後に設定トルクが変更必要となった場合、長期使用後のリユースを目的とした部品メンテナンスの時にハウジング１２１の接合部を解体して構成部品を取り出す必要がある。上記の様な接合方法ではハウジング１２１分解時に過度の負荷がかかり、ハウジングを壊したり、傷つけてしまい、分解した部品を部分的にしか再利用できないという問題が生じる場合があった。
【０００５】
この発明は上記のような問題点に鑑みてなされたもので、ハウジングを壊したり、傷つけてしまうことなく、トルクリミッタの組立て／分解を容易に行えるとともに、分解後も構成部品を再利用可能なトルクリミッタを提供することを目的とする。
【課題を解決するための手段】
【０００６】
この発明に係るトルクリミッタは、円筒状外周部を有する第１回転体と、円筒状外周部に対向する円筒状内周部を有し、第１回転体と同軸上で互いに対して相対的に回転可能に設けられた第２回転体とからなる。第１回転体の円筒状外周部および第２回転体の円筒状内周部のいずれか一方には永久磁石が、いずれか他方にはヒステリシス材が設けられる。第２回転体は軸方向の一端側に開口部を有し、トルクリミッタは、開口部を塞ぐ蓋と、第２回転体の開口部近傍の内周部に突出して設けられた突出部とを含み、蓋は、突出部で保持され、蓋は、蓋を取外す治具を受入れる切欠きを有する。
【０００７】
好ましくは、蓋は円板状であり、切欠きは円板状の蓋の外周上に設けられる。
【０００８】
さらに好ましくは、切欠きは貫通孔である。
【０００９】
切欠きは円板状の蓋の１８０度離れた位置に一対設けられるのが好ましい。
第２回転体の内周部に設けられる永久磁石またはヒステリシス材は、第１回転体側に突出して設けられ、蓋は、第２回転体の内周部に突出して設けられた永久磁石またはヒステリシス材と突出部とで保持されるのが好ましい。
【００１０】
また、突出部は第２回転体の内周部において、軸方向内部から開口部側に向かって滑らかに突出してもよい。
【００１１】
また、突出部の断面は半円形状であるのが好ましい。
【発明の効果】
【００１２】
トルクリミッタの蓋には、蓋を取外し可能な治具を受入れる切欠きを設けたため、トルクリミッタの組立て／分解を容易に行えるとともに、分解後も構成部品を再利用可能なトルクリミッタを提供できる。
【図面の簡単な説明】
【００１３】
【図１】この発明の一実施の形態に係るトルクリミッタの断面図である。
【図２】トルクリミッタの蓋を示す図である。
【図３】図１においてＩＩＩ−ＩＩＩで示した部分の矢視図およびその断面図である。
【図４】従来のトルクリミッタの断面図である。
【図５】図４においてＶ−Ｖで示す部分の矢視図である。
【発明を実施するための形態】
【００１４】
以下、この発明の実施の形態を、図面を参照して説明する。図１（Ａ）および（Ｂ）はこの発明の一実施の形態に係るトルクリミッタ１０を示す要部断面図である。図１（Ａ）を参照して、トルクリミッタ１０はハウジングに樹脂部材を主体で構成される、図示のない駆動用のシャフトに止めネジ（図示なし）を介して一体的に回転するようにされた、円筒状外周部を有する第１回転体１１と、第１回転体１１の円筒外周部に対向する円筒状内周部を有する第２回転体２０とを含む。
【００１５】
第１回転体１１は、ロータ軸１２と、ロータ軸１２の外周部にインサート成形等により設けられた円筒状の永久磁石１３とを含む。ここでは、インサート成形時の永久磁石１３の位置決めのために段部１５が設けられている。
【００１６】
第２回転体２０は、ハウジング２１と蓋２２とを含む。ハウジング２１と蓋２２とは、第１回転体１１と、軸摺動部１４ａ，１４ｂで摺動する。ハウジング２１の内周面には、円筒状の永久磁石１３の外周部に対向する円筒体であるヒステリシス材（半硬質磁石）２３が設けられている。ヒステリシス材２３は、ハウジング２１の内周面にインサート成形されており、ハウジング２１の内周面からロータ軸方向に突出している。また、その軸方向の長さは、永久磁石１３の長さよりも長くしてもよいし、短くてもよい。この長さは設定されるトルクによって適宜決定する。
【００１７】
ハウジング２１はその一方端に円形の開口部２４を有し、開口部２４は、軸方向に突出した突出部２５と突出部２５の下方向（図１において矢印Ｙ方向）に所定の高さを有して延在する開口側内周部２６とを有する。ハウジング２１の内周面にヒステリシス材２３がインサート成形されている部分は所定の厚さを有しているが、開口側内周部２６の厚さはヒステリシス材２３が成形されている部分よりも薄くなっており、それによって、ハウジング２１の内周面には段部２７が形成されている。
【００１８】
突出部２５は、断面が半円形状であるのが好ましい。蓋２２はこの突出部２５の半円形状に沿って嵌め込み後、開口側内周部２６と当接して固定される構造とする。すなわち、蓋２２は、この突出部２５と、ハウジング２１の内周面に設けられた段部２７で挟まれて固定される。
【００１９】
なお、ヒステリシス材２３の上端部の位置を段部２７に揃えてヒステリシス材２３の上端部および段部で蓋２２を挟んで固定してもよい。
【００２０】
また、ここでは、ハウジング２１と蓋２２とが、第１回転体１１と、軸摺動部１４ａ，１４ｂで摺動する場合について説明したが、これに限らず、軸摺動部１４ａとロータ軸１２の下部１４ｃで摺動してもよい。この場合の図１（Ａ）に対応する図を図１（Ｂ）に示す。
【００２１】
図２は蓋２２を示す図である。（Ａ）は平面図であり、（Ｂ）および（Ｃ）はそれぞれ、（Ａ）において、矢印Ｂ−Ｂ、Ｃ−Ｃで示した部分の断面図である。図２を参照して、蓋２２は下部に円柱状部を有し全体として円錐台形状である。蓋２２にはその中央部に設けられ、ロータ軸１２と摺動する貫通孔２９と、円周上で１８０度離れた位置に円周側端部から半径方向に延びる一対の切欠き２８とが設けられている。蓋２２の底部には円形の凹部３０が設けられている。なお、切欠き２８は、蓋２２の厚み方向に貫通した形状である。
【００２２】
切欠き２８は上から見てほぼ矩形状であり、円錐台の台部を構成する端部３１から縦方向（図１においてＹ方向）に延在している。切欠き２８は途中から中心方向（図１においてＸ方向）に延在して段部２８ａを有して凹部３０に繋がっている。
【００２３】
なお、蓋２２の円周上で１８０度離れた位置に切欠き２８を設けたが、これは、蓋２２が成形品であり、その精度を上げるために中心に対して点対称の形状とするためである。したがって、対称であれば任意の位置に切欠きを設けてもよい。
【００２４】
図３は図１においてＩＩＩ―ＩＩＩで示した部分の矢視図（図３（Ａ））と、図３（Ａ）において、矢印ＩＩＩＢ−ＩＩＩＢで示す部分の断面図（図３（Ｂ））である。
【００２５】
なお、図３においては、ハウジング２１には段部２７を設けることなく、蓋２２は突出部２５とハウジング２１の内周に設けられたヒステリシス材２３の上部とによって挟まれて固定されているが、この部分は図１に示した構成であってもよい。
【００２６】
図２および図３を参照して、蓋２２は全体として円錐台形状であり、下部に円柱状部を有するため、突出部２５の傾斜に沿って容易に突出部２５の下部とヒステリシス材２３（または、段部とヒステリシス材２３の）上端部との間に嵌め込まれる。また、円錐台の上面の径は突出部２５によって形成される開口部２４の開口寸法より小さく、下面の径は突出部２５によって形成される開口部の開口寸法より大きく、ハウジング２１の内周部の径よりも大きい。
【００２７】
次に図１〜３に示したトルクリミッタ１０の使用方法について説明する。この実施の形態に係るトルクリミッタ１０は、部品として、永久磁石１３を外周部に有する軸部材と、永久磁石１３に対向するヒステリシス材２３を内周部に有するハウジング２１と、ハウジング２１の開口部２４を覆う蓋２２とからなる。このトルクリミッタ１０の製造時において組み立て後にロータ軸１２の不良が検査工程で発見される場合がある。このような場合に、従来であれば、トルクリミッタ本体を廃棄する必要があった。
【００２８】
これに対して、この実施の形態に係るトルクリミッタ１０においては、このような場合に、蓋２２に設けられた切欠き２８に図示のない長手形状の治具を挿入して蓋２２をこじれば、蓋２２を容易にハウジング２１から除去でき、その内部に位置するロータ軸１２を容易に取出すことができる。したがって、ハウジング２１に樹脂部材を主体で構成されるトルクリミッタ１０おいて、組立て／分解の工程を容易に行なえ再利用が可能になる。
【００２９】
その結果、分解組立てを繰り返しても構成部品が再使用可能となる。また、構成部品を交換することにより、トルクを容易に変更することができる。
【００３０】
なお、上記実施の形態に示したような構成を有する本願発明に係る蓋の開閉を複数回行なったところ、１０回蓋を取りはずしても、ハウジングの損傷、故障はなく、問題なく使用できた。
【００３１】
しかし、図４および図５に示したような切欠きのない蓋を用いた従来品は１回蓋をこじ開けると、ハウジングの損傷、破損が確認でき、再使用は不可能だった。
【００３２】
なお、上記実施の形態においては、蓋に２つの切欠き２８を設けた場合について説明したが、これに限らず、少なくとも一箇所以上切欠き２８があればよい。
【００３３】
また、切欠き２８は厚み方向に貫通した形状に限らず、蓋をこじるための治具を挿入可能であれば、単なる凹部であってもよい。
【００３４】
また、この突出部にも所定の位置に切欠き等を設け、相対的に回転させたときに切欠きの寸法が大きくなるように構成してもよいし、相対的に回転させたときにのみ切欠きが形成されるようにしてもよい。
【００３５】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【産業上の利用可能性】
【００３６】
この発明に係るトルクリミッタは、組立て／分解を容易に行えるとともに、分解後も構成部品を再利用が可能であるため、トルクリミッタとして有利に使用される。
【符号の説明】
【００３７】
１０  トルクリミッタ、１１  第１回転体、１２  ロータ軸、１３  永久磁石、２０  第２回転体、２１  ハウジング、２２  蓋、２３  ヒステリシス材、２４  開口部、２５  突出部、２８  切欠き。
【図１】
2011106559.tif 000003
【図２】
2011106559.tif 000004
【図３】
2011106559.tif 000005
【図４】
2011106559.tif 000006
【図５】
2011106559.tif 000007